(57)【要約】【課題】約束事にしたがって枝葉や色花等を挿し立てる立花式仏花は、色花等を挿す受筒の幹棒への取り付けや、形式に合わせた生木の幹棒や色花等の挿し立てや、受筒の水の取り換えに、大変な手間と時間並びに技術を必要とするため、受筒の取り付けや仏花と水の出し入れを容易にし、立花式仏花の形成を容易にする、二重筒型の花器と、二重筒型の花器を使用した立花式仏花用の人工樹を提供する。【解決手段】受筒１の内側に、水１１を入れ枝葉や色花１２などを挿すための取り出し自由な花挿し内側カップ２を設けたことを特徴とする、二重筒花器。【選択図】図１
0003154237.tif 000002
【実用新案登録請求の範囲】
【請求項１】
受筒の内側に、水を入れ枝葉や色花などを挿すための取り出し自由な花挿し内側カップを設けたことを特徴とする、二重筒花器。
【請求項２】
上記花挿し内側カップは、上記花挿し内側カップを取り出す際に指などを差し入れ易いように、上記受筒の内側と上記花挿し内側カップの外側との間に間隙が生じるような大きさとなされていることを特徴とする、請求項１記載の二重筒花器。
【請求項３】
請求項１又は２記載の二重筒花器の１つ又は複数の外側に、垂直に設けられた受筒挿し軸が取り付けられていることを特徴とする、受筒挿し軸付き二重筒花器。
【請求項４】
上記二重筒花器及び／又は受筒挿し軸付き二重筒花器が、人工樹の幹棒に取り付けられていることを特徴とする、立花式仏花用人工樹。
【考案の詳細な説明】
【技術分野】
【０００１】  本孝案は、寺院で立花式仏花という松を活ける際に使用する、水と枝葉や色花を入れる二重筒花器とそれを使用した立花式仏花用人工樹に関するものである。
【背景技術】
【０００２】  寺院で、立花式仏花という松を活ける際、花瓶に生木の松等の支柱を立て、支柱に竹で作った筒などを縛りつけ、枝葉や色花を活けるのである。
【考案の概要】
【考案が解決しようとする課題】
【０００３】  立花式仏花には、直真あるいは軒真という松の形の仏花の形式等があり、直真あるいは軒真の松の木の幹にあたる生木の幹棒という中心の棒を花瓶に挿し、幹棒に受筒という竹筒等の筒を取り付け、正真・流し枝等の形式名のついた役枝を生木の松や桧葉等で作り、立花の約束事にしたがって松や桧葉等の枝葉や色花を受筒に挿し立てるのであるが、生木の幹棒や生木の役枝による立花式仏花の形成や、受筒の幹棒への取り付けや、形式に合わせた枝葉や色花等の挿し立ては、大変な手間や時間を必要とし、技術を充分に習得した者でなければ容易に立てる事が出来ないものであった。また、枝葉や色花を挿した竹筒等の受筒の水を取り換えるには、チューブ付きのポンプ等で水を換えるか、竹筒等の受筒を取り外してから水を換え再び仏花を立て替えるしかなく、大変面倒であった。また、生木の幹棒や役枝、並びに、水の変えにくい受筒に挿された生花等は、長期間の形の維持や鮮度の維持が難しかった。【０００４】  そこで、本考案は、水や色花等を入れたまま出し入れのできるカップを受筒内に設けて二重筒とし、二重筒の受筒に花瓶へ直接挿し立てるための軸を取り付け、二重筒の受筒と人工の幹棒と人工の役枝を使用した立花式仏花用の人工樹を提供することにより、立花式仏花の形成や、受筒の水の取り換えを容易にすることを目的とする。
【課題を解決するための手段】
【０００５】  請求項１に記載の二重筒花器は、立花式仏花において水を入れ枝葉や色花を挿し立てる受筒の内側に、手などで自由に取り出すことのできる、水を入れ枝葉や色花などを挿すための花挿し内側カップを設けたことを特徴とする。【０００６】  請求項２に記載の二重筒花器は、水を入れ枝葉や色花などを挿した花挿し内側カップを取り出す際に、指などを差し入れ易くし保持し易いように、受筒の内側と花挿し内側カップの外側との間に間隙が生じるような大きさとなされていることを特徴とする。【０００７】  上記二重筒花器で用いる花挿し内側カップの高さとしては、外側の受筒から花挿し内側カップが見えないようにし、従来の立花式仏花の美観を損ねることなく花挿し内側カップを使用することができるよう、受筒の高さと同じか、又は、受筒の高さより少し低いことが望ましい。【０００８】  請求項３に記載の受筒挿し軸付き二重筒花器は、二重筒花器の１つ又は複数の外側に、花瓶に直接挿し立てるための垂直に設けられた受筒挿し軸が取り付けられていることを特徴とする。【０００９】  請求項４に記載の立花式仏花用人工樹は、松等の木の幹にあたる人工の幹棒と、松や桧葉等の人工の役枝を、立花式仏花の形式に合わせて花瓶に挿し立て人工樹を形成し、二重筒花器及び／又は受筒挿し軸付き二重筒花器が、人工樹の幹棒に取り付けられていることを特徴とする。
【考案の効果】
【００１０】  請求項１に記載の二重筒花器は、立花式仏花において水を入れ枝葉や色花を挿し立てる受筒の内側に、手などで自由に取り出すことのできる、水を入れ枝葉や色花などを挿すための花挿し内側カップを設けたため、仏花の挿し立て時や受筒の水を取り換える際、手間と時間を必要とする竹筒等の受筒の幹棒への直接の取り付け取り外しの必要がなくなった。そのため、仏花の挿し立て時は、大型の立花式仏花に直接取り付けた竹筒等に手間をかけて直接枝葉や色花を挿す必要がなくなり、移動可能な花挿し内側カップに、楽な姿勢や作業し易い場所にて水を入れ枝葉や色花を挿して仏花を形成し、受筒に出し入れすることが可能となり、仏花の挿し立て易さや形成のし易さを向上することができる。また、受筒の水を取り換える際は、チューブ付きのポンプ等の使用や、竹筒等の受筒を取り外してから水を換え再び仏花を立て替える等の大変な手間と時間を必要とする作業の必要もなくなり、受筒の水の取り換え易さを向上することができる。また、水の取り換えが容易になることにより、色花等の挿し立てられた水の衛生の向上にもつながり、色花等生花の日持ちの向上も可能となる。【００１１】  請求項２に記載の二重筒花器は、水を入れ枝葉や色花を挿した花挿し内側カップを取り出す際に、指などを差し入れ易くし保持し易いように、受筒の内側と花挿し内側カップの外側との間に間隙が生じるような大きさとなされるようにしたため、受筒から花挿し内側カップを出し入れする際、花挿し内側カップに水が入り枝葉や色花を挿し立てられた状態にても、花挿し内側カップの保持と出し入れの操作性を向上することができる。【００１２】  請求項３に記載の受筒挿し軸付き二重筒花器は、二重筒花器の１つ又は複数の外側に、花瓶に直接挿し立てるための垂直に設けられた受筒挿し軸が取り付けられているため、受筒挿し軸を取り付けた二重筒花器の受筒を花瓶へ直接抜き挿しすることが可能となり、仏花の挿し立ての度に受筒を幹棒に直接取り付ける等の手間と時間を必要とする作業の必要もなくなり、仏花の挿し立て易さを向上することができる。また、受筒挿し軸を幹棒の自由な位置に紐等で取り付けることも可能となり、技術の習得が必要であった立花式仏花の形成のし易さを向上することができる。また、受筒挿し軸の取り付けられた１つ又は複数の二重筒花器を様々な形式に合わせて使用することが可能となり、立花式仏花の約束事や好みによる様々な仏花の形式の配置し易さを向上することができる。【００１３】  請求項４に記載の立花式仏花用人工樹は、松等の木の幹にあたる人工の幹棒と、松や桧葉等の人工の役枝を、立花式仏花の形式に合わせて花瓶に挿し立て人工樹を形成し、二重筒花器及び／又は受筒挿し軸付き二重筒花器が、人工樹の幹棒に取り付けられているため、大変な手間や時間を必要とし技術を充分に習得した者でなければ容易に立てる事が出来ない、受筒の幹棒への取り付けや生木による幹棒と役枝等の組み立ての作業の必要がなくなり、立花式仏花の形成のし易さを向上することができる。また、長期間の形の維持や色などの鮮度の維持が難しかった生木の幹棒と生木の役枝や竹筒等の受筒を使用して形成していた立花式仏花を、人工の幹棒と人工の役枝と水の取���換え易い二重筒花器を使用した立花式仏花用人工樹を使用して形成したことにより、立花式仏花の長期間の形や色などの維持を可能とし、また、人工の役枝の常に鮮やかな緑に生花の色花が映えて立花式仏花の荘厳さを向上することができる。
【図面の簡単な説明】
【００１４】
【図１】受筒に花挿し内側カップを設けた、本考案の一実施例を示す説明図である。
【図２】受筒に花挿し内側カップを設け、受筒挿し軸を取り付けた本考案の一実施例を示す説明図である。
【図３】上部に松や桧葉等の枝を取り付けた人工の幹棒と、花挿し内側カップを入れた受筒を取り付けた受筒挿し軸を、花瓶に挿し立て、人工の幹棒に受筒挿し軸を紐などで取り付けた、本考案の一実施例を示す説明図である。
【図４】図３に示す実施例と異なる本考案の一実施例を示す説明図であり、人工の幹棒の上部に花挿し内側カップを設けた受筒を直接取り付けた例である。
【図５】図３に示す実施例に、松や桧葉等の枝や色花を挿し立てて、立花式仏花を形成した、本考案の一実施例である。
【考案を実施するための形態】
【００１５】  以下、添付図に示す本考案の実施例を説明する。
【実施例１】
【００１６】  図１中の二重筒花器は、直径８．８ｃｍ高さ１１．５ｃｍ厚さ０．２ｃｍの花挿し内側カップ２が、直径１１．５ｃｍ高さ１２ｃｍ厚さ０．２ｃｍの受筒１に二重筒の状態で入れられている。そのため、花挿し内側カップ２の取り出しが自由となる。この花挿し内側カップ２に、図１の右側にあるように水１１を入れて色花１２等を挿し立てたものを、受筒１に入れて使用する。また、水１１の取り換えは、花挿し内側カップ２を取り出すだけで簡便に行うことが可能である。【００１７】  受筒１と花挿し内側カップ２は、材料としては防水性の高い素材である硬質プラスチックを使用している。また、二重筒花器の受筒１と花挿し内側カップ２の直径や高さや厚さは、立花式仏花の様々な約束事や好みに応じて選択できる。【００１８】  図１に示すように、花挿し内側カップ２と受筒１の間には、指などが差し入れ易いように間隙９が設けられるよう、受筒１の内側と花挿し内側カップ２の外側との間に間隙が生じるような大きさとなされており、図１においては、間隙９は最大で２．３ｃｍとなる。そのため、水１１の取り換え時などの花挿し内側カップ２の出し入れの際に、花挿し内側カップ２の保持と出し入れを行い易くすることができる。【００１９】  花挿し内側カップ２の高さは、受筒１の高さと同じか、取り出しにくくならない程度に外側の受筒１よりもやや低くなるよう高さの差１０ができるように調節し、外側の受筒１から花挿し内側カップ２が見えないようにされており、図１においては、高さの差１０は０．３ｃｍとなる。そのため、立花式仏花の美観を損ねることなく二重筒花器の花挿し内側カップ２を使用することができる。
【実施例２】
【００２０】  図２に示す受筒挿し軸付き二重筒花器は、長さ６３ｃｍ幅２．５ｃｍ厚さ０．５ｃｍの硬質プラスチックの細長い平板状の軸に、実施例１で用いたと同じ二重筒花器の受筒１を１３ｃｍ離して２個取り付けている。従って、図３から図５中の花瓶６への受筒挿し軸付き二重筒花器の抜き挿しが可能となるため、仏花の挿し立ての度に受筒１を人工の幹棒４に直接取り付ける必要がなくなり、立花式仏花を形成し易くすることができる。【００２１】  受筒挿し軸３は、図３と図４に示すように、人工の幹棒４に紐等５で取り付けることができるため、二重筒花器を人工の幹棒４の自由な位置に取り付けることが可能となり、技術の習得が必要であった立花式仏花の挿し立て易さを向上することができ、好みにも対応することができる。【００２２】  受筒挿し軸付き二重筒花器の受筒挿し軸３の長さや、受筒挿し軸３への二重筒花器の受筒１の取り付け位置や、受筒挿し軸３へ取り付ける二重筒花器の個数は、立花式仏花の様々な約束事や好みに応じて選択できる。
【実施例３】
【００２３】  図３は、人工の松の枝を人工の幹棒４に取り付けて人工の松や桧葉等の役枝７と共に花瓶６に挿し立て、実施例２の受筒挿し軸付き二重筒花器の２セットを、高さを６ｃｍ変えて花瓶６に挿し立てて、受筒挿し軸３を人工の幹棒４に紐等５で取り付けた立花式仏花用人工樹を示す。図３中の二重筒花器の花挿し内側カップ２に、図３に示すように色花１２などを挿し立て、立花式仏花の一形式を形成することができる。
【実施例４】
【００２４】  図４は、人工の幹棒４の上部に花挿し内側カップ２を設けた受筒１の二重筒花器を直接取り付けて人工の松や桧葉等の役枝７と共に花瓶６に挿し立て、実施例２の受筒挿し軸付き二重筒花器の２セットを花瓶６に挿し立てて、受筒挿し軸３を人工の幹棒４に紐等５で取り付けた、図３とは別の形式の立花式仏花用人工樹を示す。
【実施例５】
【００２５】  図５は、図３の立花式仏花用人工樹を用いて、各々の花挿し内側カップ２に水を入れ、各々の花挿し内側カップ２に松や桧葉等の枝葉や色花を立花式仏花の約束事によって挿し立て、松や桧葉等の枝葉や色花を挿し立てられた花挿し内側カップ２を受筒１に入れて仏花を形成した、立花式仏花の一例の完成図である。【００２６】  本考案は、以上述べた実施例に限定されるものではなく、例えば、花挿し内側カップ２の中に華道用の剣山を設けて色花を挿し立てて仏花を形成する、又は、二重筒花器の周囲に松や桧葉等の枝葉を巻きつけて仏花を形成する、又は、受筒挿し軸付き二重筒花器を生木の幹棒や生木の役枝とともに使用して立花式仏花を形成する、又は、人工の幹棒４の上部に軒真等の形式の幹の形が直接作られている幹棒を中心として受筒挿し軸付き二重筒花器と共に立花式仏花を形成する等、様々な立花式仏花の形式を形成するために使用することができる。
【符号の説明】
【００２７】１  受筒
２  花挿し内側カップ
３  受筒挿し軸
４  人工の幹棒
５  紐等
６  花瓶
７  人工の松や桧葉等の役枝
８  ねじ
９  間隙
１０  高さの差
１１  水
１２  色花
【図１】
0003154237.tif 000003
【図２】
0003154237.tif 000004
【図３】
0003154237.tif 000005
【図４】
0003154237.tif 000006
【図５】
0003154237.tif 000007
【手続補正書】
【提出日】平成21年7月9日(2009.7.9)
【手続補正１】
【補正対象書類名】実用新案登録請求の範囲
【補正対象項目名】全文
【補正方法】変更
【補正の内容】
【実用新案登録請求の範囲】
【請求項１】
受筒の内側に、水を入れ枝葉や色花などを挿すための取り出し自由な花挿し内側カップを設けたことを特徴とする、二重筒花器。
【請求項２】
上記花挿し内側カップは、上記花挿し内側カップを取り出す際に指などを差し入れ易いように、上記受筒の内側と上記花挿し内側カップの外側との間に間隙が生じるような大きさとなされていることを特徴とする、請求項１記載の二重筒花器。
【請求項３】
請求項１又は２記載の二重筒花器の１つ又は複数の外側に、垂直に設けられた受筒挿し軸が取り付けられていることを特徴とする、受筒挿し軸付き二重筒花器。
【請求項４】
人工樹の幹棒に取り付けられることで立花式仏花用人工樹とされる請求項１又は２記載の二重筒花器又は請求項３記載の受筒挿し軸付き二重筒花器。
【手続補正３】
【補正対象書類名】明細書
【補正対象項目名】０００１
【補正方法】変更
【補正の内容】
【０００１】  本孝案は、寺院で立花式仏花という松を活ける際に使用する、水と枝葉や色花を入れる二重筒花器に関するものである。
【手続補正４】
【補正対象書類名】明細書
【補正対象項目名】０００９
【補正方法】変更
【補正の内容】
【０００９】  請求項４に記載の二重筒花器は、人工樹の幹棒に取り付けられることで立花式仏花用人工樹とされる請求項１又は２記載の二重筒花器又は請求項３記載の受筒挿し軸付き二重筒花器である。
【手続補正５】
【補正対象書類名】明細書
【補正対象項目名】００１３
【補正方法】変更
【補正の内容】
【００１３】  請求項４に記載の二重筒花器を用いれば、松等の木の幹にあたる人工の幹棒と、松や桧葉等の人工の役枝を、立花式仏花の形式に合わせて花瓶に挿し立て人工樹を形成し、二重筒花器及び／又は受筒挿し軸付き二重筒花器が、人工樹の幹棒に取り付けられているため、受筒の幹棒への取り付けや生木による幹棒と役枝等の組み立ての作業の必要がなくなり、大変な手間や時間を必要とし技術を充分に習得した者でなければ容易に立花式仏花を立てる事が出来ないという問題が解決され、立花式仏花の形成のし易さを向上することができる。
【手続補正６】
【補正対象書類名】図面
【補正対象項目名】図４
【補正方法】変更
【補正の内容】
【図４】
0003154237.tif 000008